(57)【要約】【課題】  この発明は、交換可能なＨＤＤモジュールを使用可能にすること、複数のＨＤＤモジュールを使用可能にすることを目的とする。【解決手段】  記憶媒体（２０）が本体から外されている時間を計測する手段（３５）と、計測された時間を予め設定された規定値と比較する手段（３５）と、計測された時間が規定値に達した場合に、記憶媒体（２０）を、本体に接続するように表示する手段（１４）を備えるように構成している。【選択図】    図５
2007150857.tif 000002
【特許請求の範囲】
【請求項１】
外部から本体に接続される記憶媒体に映像信号を記憶し、記憶媒体に記憶された映像信号に映像信号処理を施して映像表示部に表示する映像表示装置において、
外部から本体に接続される記憶媒体に各々付された記憶媒体固有の識別子を取得して本体に接続する記憶部に記憶する手段と、
前記記憶媒体固有の識別子が記憶された記憶媒体が本体から外されている時間を計測する時間計測手段と、
前記計測された時間を予め設定された規定値と比較する比較手段と、
前記計測された時間が前記予め設定された規定値に達した場合に、前記記憶媒体固有の識別子が本体に記憶された記憶媒体を、本体に接続するように表示部に表示する表示手段と、を備えることを特徴とする映像表示装置。
【請求項２】
外部から本体に接続される記憶媒体に映像信号を記憶し、記憶媒体に記憶された映像信号に映像信号処理を施して映像表示部に表示する映像表示装置において、
外部から本体に接続される記憶媒体に各々付された記憶媒体固有の識別子を取得して本体に接続する記憶部に記憶する手段と、
前記記憶媒体固有の識別子が記憶された記憶媒体が本体から外されている時間を計測する時間計測手段と、
前記計測された時間を予め設定された規定値と比較する比較手段と、
前記計測された時間が前記予め設定された規定値に達した場合に、前記記憶媒体固有の識別子が本体に記憶された記憶媒体を、本体に接続するように表示部に表示する表示手段と、
前記記憶媒体が本体に接続されたかを判別する接続判別手段と、
前記記憶媒体が本体に接続された場合に前記記憶媒体を動作させる記憶媒体動作手段と、を備えることを特徴とする映像表示装置。
【請求項３】
記憶媒体が本体から外された時間と前記計測された時間を比較する規定値が本体に接続する記憶部に記憶されることを特徴とする請求項１乃至２に記載の映像表示装置。
【請求項４】
前記記憶媒体は本体内部に収容されることを特徴とする請求項１乃至３に記載の映像表示装置。
【請求項５】
前記記憶媒体はＨＤＤユニットであることを特徴とする請求項１乃至４に記載の映像表示装置。
【請求項６】
前記ＨＤＤユニットには各々を識別する識別子が付されていることを特徴とする請求項１乃至５に記載の映像表示装置。
【請求項７】
外部から本体に接続される記憶媒体に各々付された記憶媒体固有の識別子を取得して本体に接続する記憶部に記憶するステップと、
前記記憶媒体固有の識別子が記憶された記憶媒体が本体から外されている時間を計測するステップと、
前記計測された時間を予め設定された規定値と比較するステップと、
前記計測された時間が前記予め設定された規定値に達した場合に、前記記憶媒体固有の識別子が本体に記憶された記憶媒体を、本体に接続するように表示部に表示するステップと、を備えることを特徴とする映像表示方法。
【請求項８】
外部から本体に接続される記憶媒体に各々付された記憶媒体固有の識別子を取得して本体に接続する記憶部に記憶するステップと、
前記記憶媒体固有の識別子が記憶された記憶媒体が本体から外されている時間を計測するステップと、
前記計測された時間を予め設定された規定値と比較するステップと、
前記計測された時間が前記予め設定された規定値に達した場合に、前記記憶媒体固有の識別子が本体に記憶された記憶媒体を、本体に接続するように表示部に表示するステップと、
前記記憶媒体が本体に接続されたかを判別するステップと、
前記記憶媒体が本体に接続された場合に前記記憶媒体を動作させるステップと、を備えることを特徴とする映像表示方法。
【発明の詳細な説明】
【技術分野】
【０００１】
この発明は、例えばデジタルテレビジョン放送受信装置等のような映像表示装置に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、テレビジョン放送を受信するテレビジョン放送受信装置においては、例えば、ユーザが設定したジャンルやキーワード等に基づいて放送番組を自動記録しておき、その記録された番組の中からユーザが必要な番組を選択して視聴することができる機能を有するものが出現している。
【０００４】
この場合、放送番組を記録再生するための記録再生装置としては、多数の番組を記録することができる大記録容量が求められるとともに、記録した番組の中から所望の番組を迅速に検索して再生することができるアクセス性能が求められることから、ＨＤＤ（hard disk drive）が採用されている。
【０００５】
ところで、現在のテレビジョン放送受信装置（映像表示装置）にあっては、外部から本体に接続される記憶媒体に映像信号を記憶し、記憶媒体に記憶された映像信号に映像信号処理を施して映像表示部に表示することが可能となっているものがある。
【０００６】
ここで、特許文献１には、ＨＤＤの駆動停止からタイマカウンタを起動して、駆動停止状態が許容限度期間まで継続しているか否かを監視する構成が開示されている。
【０００７】
しかしながら、ＨＤＤモジュールが交換可能であるものに関する技術、複数のＨＤＤモジュールを使用する技術については実用的な点で開示が充分であるとはいえなかった。
【特許文献１】特開２０００−２９８９２５号公報
【発明の開示】
【発明が解決しようとする課題】
【０００８】
そこで、この発明は上記事情を考慮してなされたもので、交換可能なＨＤＤモジュールを使用可能にすること、複数のＨＤＤモジュールを使用可能にすることを目的としている。
【課題を解決するための手段】
【０００９】
この発明に係る映像表示装置は、外部から本体に接続される記憶媒体に各々付された記憶媒体固有の識別子を取得して本体に接続する記憶部に記憶する手段と、前記記憶媒体固有の識別子が記憶された記憶媒体が本体から外されている時間を計測する時間計測手段と、  前記計測された時間を予め設定された規定値と比較する比較手段と、前記計測された時間が前記予め設定された規定値に達した場合に、前記記憶媒体固有の識別子が本体に記憶された記憶媒体を、本体に接続するように表示部に表示する表示手段と、を備えるように構成している。
【００１０】
また、この発明に係る映像表示方法は、外部から本体に接続される記憶媒体に各々付された記憶媒体固有の識別子を取得して本体に接続する記憶部に記憶するステップと、前記記憶媒体固有の識別子が記憶された記憶媒体が本体から外されている時間を計測するステップと、前記計測された時間を予め設定された規定値と比較するステップと、前記計測された時間が前記予め設定された規定値に達した場合に、前記記憶媒体固有の識別子が本体に記憶された記憶媒体を、本体に接続するように表示部に表示するステップと、を備えるように構成している。
【発明の効果】
【００１１】
上記のように構成することによって、映像表示装置に対してＨＤＤモジュールを交換可能にすることが可能になるという効果がある。また、複数のＨＤＤモジュールを使用することが可能になるという効果がある。
【発明を実施するための最良の形態】
【００１２】
以下、この発明の実施の形態について図面を参照して詳細に説明する。
【００１３】
図１は、この発明の実施の形態で説明する映像表示装置（テレビジョン放送受信装置）１１の正面側の外観を示す図である。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１４】
そして、上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１５】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１６】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１７】
図２は、この発明の実施の形態で説明する映像表示装置１１の信号処理系を概略的に示す図である。この信号処理系を構成する各種の回路ブロックは、主として、上記キャビネット１２の内部で背面に近い位置、つまり、上記映像表示器１４の表示画面１４ａの裏側あたりに配置されている。
【００１８】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧ（moving picture experts group）２デコード処理が施された後、セレクタ２６に供給される。
【００１９】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００２０】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００２１】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００２２】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を、受光部１８を介して受けることにより、その操作内容が反映されるように各部をそれぞれ制御している。また、制御部３５は時計手段および時間計測手段を備えている。
【００２３】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２４】
ここで、上記制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部２６とＨＤＤユニット２０とを接続している。
【００２５】
また、制御部３５とＨＤＤユニット２０との間でデジタル映像及び音声信号を授受するライン３９は、ｉ．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にｉ．Linkによって行なわれる。
【００２６】
そして、上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００２７】
図３は、この発明の実施の形態で説明する映像表示装置のスタンド１３を背面側から見た図である。すなわち、スタンド１３は、前述したようにほぼ薄型の箱状に形成されており、その背面板１３ｃから上面板１３ｂのほぼ中央部にかけての大部分が連続的に開口されることにより、着脱用口１３ｄが形成されている。この着脱用口１３ｄは、図示しない蓋体によって閉塞することが可能である。
【００２８】
このスタンド１３の底面板１３ａのほぼ中央部には、円筒形状の支持柱体４１が垂直に突設されている。この支持柱体４１は、その先端部が上面板１３ｂに形成された着脱用口１３ｄを介して、上面板１３ｂよりも上方に突出されている。そして、この支持柱体４１の先端部に、上記キャビネット１２と連結される支持部材１９が取着されている。
【００２９】
また、スタンド１３は、その内部の大部分が空洞になっており、上記ＨＤＤユニット２０を収容可能な収容部４２となっている。この場合、ＨＤＤユニット２０は、スタンド１３の外部より、スタンド１３の背面側の着脱用口１３ｄから底面板１３ａに沿うように挿入されることによって、スタンド１３内部に収容される。また、スタンド１３内部に収容されたＨＤＤユニット２０は、スタンド１３の背面側の着脱用口１３ｄから底面板１３ａに沿うようにして、スタンド１３の外部に取り出すことができる。
【００３０】
すなわち、ＨＤＤユニット２０は、スタンド１３内に収容されて映像及び音声信号の記録再生を行なえるとともに、スタンド１３に対して着脱が可能なように、つまり、交換が可能となるように構成されている。
【００３１】
この交換可能なＨＤＤユニット２０には、各々を識別するための記憶媒体（ＨＤＤユニット）固有の識別子（ＩＤ：Identification）が付されている。そじて、後述するようにこの識別子を用いて各々の記憶媒体（ＨＤＤユニット）を識別し、複数のＨＤＤモジュールを交換可能に構成できるようにしている。これらの識別子（ＩＤ：Identification）は例えば、ＨＤＤユニット２０内部に構成されるＩＣチップ内に記憶されており、後述すように、これらの識別子は図４に示す情報としてメモリ部３６に記憶される。
【００３２】
図４はこの発明の実施の形態における映像表示装置（テレビジョン放送受信装置）に記憶される情報を示す図である。
【００３３】
上記のように、ＨＤＤユニット２０に記憶されている記憶媒体（ＨＤＤユニット）固有の識別子（ＩＤ：Identification）を用いて、映像表示装置に接続される記憶媒体（ＨＤＤユニット２０）各々について、ＨＤＤユニット（記憶媒体）２０が本体から外された時刻（取り外し時間）を記憶部（記憶媒体：メモリ部）３６に記憶する。また、制御部３５は、ＨＤＤユニット（記憶媒体）２０が本体から外された時刻から経過した時間を計測し、この計測された時間との比較を行なうための規定値（ここでは例えば３ヶ月または４ヶ月）が、本体に接続する記憶部３６に記憶される。
【００３４】
尚、この記憶部（記憶媒体）３６は、通信速度を向上させるという観点から、映像表示装置本体内部に収容されることが望ましい。
【００３５】
図５は、この発明の実施の形態に係る映像表示装置において、記憶媒体（ＨＤＤユニット２０）を本体に取り付けるよう警告する表示画面の例を示す図である。ここでは、ＨＤＤユニットＡ（記憶媒体）２０が、本体から外されてから所定時間として設定された規定値（ここでは例えば３ヶ月）に達した（規定値を超えても可）ため、記憶媒体（ＨＤＤユニット２０）を本体に取り付けるよう警告する表示画面の例を示している。ここでは、この表示画面は映像表示器１４に表示される。
【００３６】
図６は、この発明の実施の形態に係る映像表示装置において、記憶媒体（ＨＤＤユニット２０）を本体に取り付けるよう警告する表示画面の例を示す図である。この発明の実施の形態においては、記憶媒体（ＨＤＤユニット２０）を複数管理することも可能である。
【００３７】
ここでは、記憶媒体（ＨＤＤユニットＡ）および、記憶媒体（ＨＤＤユニットＢ）の両者が、本体から外されてから規定値時間（ここでは例えば３ヶ月）を超えているため、記憶媒体（ＨＤＤユニット２０）を本体に取り付けるよう警告する表示画面の例を示している。この表示画面は映像表示器１４に表示される。
【００３８】
図７は、この発明の実施の形態に係る映像表示装置における表示動作を説明するフローチャートである。
【００３９】
ここでの動作は制御部３５によって制御される。
【００４０】
符号１００はここでの開始ステップである。続いて符合１０１を付したステップへ進む。
【００４１】
符号１０１は、ＨＤＤユニットが映像表示装置本体に取り付けられたかを検出するステップである。ＨＤＤユニットが映像表示装置本体に取り付けられたと検出された場合は符合１０２を付したステップへ進む（Ｙｅｓ）。ＨＤＤユニットが映像表示装置本体に取り付けられたと検出されない場合は符合１０１を付したステップへ進み、ここでの処理が繰り返される（Ｎｏ）。
【００４２】
符号１０２は各ＨＤＤユニットに付された固有の識別子（ID）を読むステップである。ここでは、ＨＤＤユニットＡが映像表示装置本体に取り付けられた例であるので、ＨＤＤユニットＡに付された識別子（ID）を読む。続いて符合１０３を付したステップへ進む。
【００４３】
符号１０３は上記読まれたＨＤＤユニットＡに付された識別子（ID）を映像表示装置本体に接続されたメモリ部３６へ記憶するステップである。続いて符合１０４を付したステップへ進む。
【００４４】
符号１０４はＨＤＤユニットＡが映像表示装置本体から取り外されたかを検出するステップである。ＨＤＤユニットＡが映像表示装置本体から取り外されたと検出された場合は符合１０５を付したステップへ進む（Ｙｅｓ）。ＨＤＤユニットＡが映像表示装置本体から取り外されたと検出されない場合は符合１０４を付したステップへ進み、ここでの処理が繰り返される（Ｎｏ）。
【００４５】
符号１０５は制御部３５から時間（時刻）情報を取得し、上記ＨＤＤユニットＡの識別子と関連付けてメモリ部３６へ記憶するステップである。続いて符合１０６を付したステップへ進む。
【００４６】
符号１０６はＨＤＤユニットＡが取り外されている時刻を計測するステップである。ここでは、上記時間（時刻）情報から経過した時刻を計測する。続いて符合１０７を付したステップへ進む。
【００４７】
符号１０７はＨＤＤユニットＡが取り外された時間が規定値（ここでは例えば３ヶ月）に達したか（規定値を超えても良い）を検出するステップである。ＨＤＤユニットＡが取り外された時間が規定値（ここでは例えば３ヶ月）に達したまたは規定値を超えたと検出された場合は符合１０８を付したステップへ進む（Ｙｅｓ）。ＨＤＤユニットＡが取り外された時間が規定値（ここでは例えば３ヶ月）に達したまたは規定値を超えたと検出されない場合は符合１０７を付したステップへ進み、ここでの処理が繰り返される（Ｎｏ）。
【００４８】
符号１０８は図５に示すように、ユーザに対して、ＨＤＤユニットＡを映像表示装置本体に接続するように警告する表示を行なうステップである。続いて符合１０９を付したステップへ進む。
【００４９】
符号１０９はＨＤＤユニットＡが再び本体に取り付けられたかを検出するステップである。ＨＤＤユニットＡが再び本体に取り付けられたと検出された場合は符合１１０を付したステップへ進む（Ｙｅｓ）。ＨＤＤユニットＡが再び本体に取り付けられたと検出されない場合は符合１０９を付したステップへ進み、ここでの処理が繰り返される（Ｎｏ）。
【００５０】
符号１１０はＨＤＤユニットＡに内蔵されたＨＤＤ（ハードディスクドライブ）を動作させるステップである。続いて符合１１１を付したステップへ進む。
【００５１】
符合１１１は終了ステップであり、ここでの処理は終了する。
【００５２】
図８は、この発明の他の実施の形態に係る映像表示装置における表示動作を説明するフローチャートである。上記説明したように、この発明の実施の形態においては、複数のＨＤＤモジュールを交換可能に構成している。
【００５３】
ここでの動作は制御部３５によって制御される。
【００５４】
符号２００はここでの開始ステップである。続いて符合２０１を付したステップへ進む。
【００５５】
符号２０１は、ＨＤＤユニットが映像表示装置本体に取り付けられたかを検出するステップである。ＨＤＤユニットが映像表示装置本体に取り付けられたと検出された場合は符合２０２を付したステップへ進む（Ｙｅｓ）。ＨＤＤユニットが映像表示装置本体に取り付けられたと検出されない場合は符合２０１を付したステップへ進み、ここでの処理が繰り返される（Ｎｏ）。
【００５６】
符号２０２は各ＨＤＤユニットに付された固有の識別子（ID）を読むステップである。ここでは、HDDユニットＡおよび／またはＢが映像表示装置本体に取り付けられた例であるので、HDDユニットＡおよび／またはＢに付された識別子（ID）を読む。続いて符合２０３を付したステップへ進む。
【００５７】
符号２０３は上記読まれたHDDユニットＡおよび／またはＢに付された識別子（ID）を映像表示装置本体に接続されたメモリ部３６へ記憶するステップである。続いて符合２０４を付したステップへ進む。
【００５８】
符号２０４はHDDユニットＡおよび／またはＢが映像表示装置本体から取り外されたかを検出するステップである。HDDユニットＡおよび／またはＢが映像表示装置本体から取り外されたと検出された場合は符合２０５を付したステップへ進む（Ｙｅｓ）。HDDユニットＡおよび／またはＢが映像表示装置本体から取り外されたと検出されない場合は符合２０４を付したステップへ進み、ここでの処理が繰り返される（Ｎｏ）。
【００５９】
符号２０５は制御部３５から時間（時刻）情報を取得し、上記HDDユニットＡおよび／またはＢの識別子と関連付けてメモリ部３６へ記憶するステップである。続いて符合２０６を付したステップへ進む。
【００６０】
符号２０６はHDDユニットＡおよび／またはＢが取り外されている時刻を計測するステップである。ここでは、上記時間（時刻）情報から経過した時刻を計測する。続いて符合２０７を付したステップへ進む。
【００６１】
符号２０７はHDDユニットＡおよび／またはＢが取り外された時間が規定値（ここでは例えば３ヶ月）に達したか（規定値を超えても良い）を検出するステップである。HDDユニットＡおよび／またはＢが取り外された時間が規定値（ここでは例えば３ヶ月）に達したまたは規定値を超えたと検出された場合は符合２０８を付したステップへ進む（Ｙｅｓ）。HDDユニットＡおよび／またはＢが取り外された時間が規定値（ここでは例えば３ヶ月）に達したまたは規定値を超えたと検出されない場合は符合２０７を付したステップへ進み、ここでの処理が繰り返される（Ｎｏ）。
【００６２】
符号２０８は図５に示すように、ユーザに対して、HDDユニットＡおよび／またはＢを映像表示装置本体に接続するように警告する表示を行なうステップである。続いて符合２０９を付したステップへ進む。
【００６３】
符号２０９はHDDユニットＡおよび／またはＢが再び本体に取り付けられたかを検出するステップである。HDDユニットＡおよび／またはＢが再び本体に取り付けられたと検出された場合は符合２１０を付したステップへ進む（Ｙｅｓ）。HDDユニットＡおよび／またはＢが再び本体に取り付けられたと検出されない場合は符合２０９を付したステップへ進み、ここでの処理が繰り返される（Ｎｏ）。
【００６４】
符号２１０はHDDユニットＡおよび／またはＢに内蔵されたＨＤＤ（ハードディスクドライブ）を動作させるステップである。続いて符合２１１を付したステップへ進む。
【００６５】
符合２１１は終了ステップであり、ここでの処理は終了する。
【００６６】
上述したように、この発明は、外部から本体に接続される記憶媒体（HDDモジュール２０）に各々付された記憶媒体固有の識別子を取得して本体に接続する記憶部３６に記憶する手段と、前記記憶媒体固有の識別子が記憶された記憶媒体（HDDモジュール２０）が本体から外されている時間を計測する時間計測手段と、前記計測された時間を予め設定された規定値と比較する比較手段と、前記計測された時間が前記予め設定された規定値に達した場合に、前記記憶媒体固有の識別子が本体に記憶された記憶媒体（HDDモジュール２０）を、本体に接続するように表示部１４に表示する表示手段と、を備えるように構成している。
【００６７】
このため、映像表示装置に対してＨＤＤモジュールを交換可能にすることが可能になるという効果がある。また、複数のＨＤＤモジュールを使用することが可能になるという効果がある。
【００６８】
また、前記記憶媒体（HDDモジュール２０）が本体に接続されたかを判別する接続判別手段と、前記記憶媒体が本体に接続された場合に前記記憶媒体を動作させる記憶媒体動作手段と、を備えるように構成している。
【００６９】
このため、一般に、ＨＤＤ（ハードディスクドライブ）は所定時間以上動作しないと支障が生じるということが知られているが、このＨＤＤ（ハードディスクドライブ）の動作によってＨＤＤユニットＡに生じる支障を防止することが可能となるという効果がある。
【００７０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７１】
【図１】この発明の実施の形態で説明する映像表示装置の外観を示す図。
【図２】この発明の実施の形態で説明する映像表示装置の信号処理系を示す図。
【図３】この発明の実施の形態で説明する映像表示装置のスタンドを背面側から見た図。
【図４】この発明の実施の形態における映像表示装置（テレビジョン放送受信装置）に記憶される情報を示す図。
【図５】この発明の実施の形態に係る映像表示装置において、記憶媒体を本体に取り付けるよう警告する表示画面の例を示す図。
【図６】この発明の実施の形態に係る映像表示装置において、記憶媒体を本体に取り付けるよう警告する表示画面の例を示す図。
【図７】この発明の実施の形態に係る映像表示装置における表示動作を説明するフローチャート。
【図８】この発明の他の実施の形態に係る映像表示装置における表示動作を説明するフローチャート。
【符号の説明】
【００７２】
１１…テレビジョン放送受信装置、１２…キャビネット、１３…スタンド、１４…映像表示器（映像表示部、開始映像表示手段）、１５…スピーカ、１６…操作部、１７…リモートコントローラ、１８…受光部、１９…支持部材、２０…ＨＤＤユニット（記憶媒体）、２１…操作子、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部（画質調整開始指示検出手段、画質調整終了指示検出手段）、３６…メモリ部、３７…ライン、３８…接続部、３９…ライン、４０…ｉ．Link接続部、４１…支持柱体、４２…収容部
【図１】
2007150857.tif 000003
【図２】
2007150857.tif 000004
【図３】
2007150857.tif 000005
【図４】
2007150857.tif 000006
【図５】
2007150857.tif 000007
【図６】
2007150857.tif 000008
【図７】
2007150857.tif 000009
【図８】
2007150857.tif 000010